(57)【要約】      （修正有）【課題】製造コストの低減を図り、メンテナンス作業も行い易い容器本体を備えた廃棄物収納容器を提供する。【解決手段】廃棄物収納容器１０は、上面開口で有底の容器本体２０と、容器本体２０の上面開口部に連接される廃棄物投入部３０とを備える。容器本体２０が、同じ型を用いて成形した２つの容器分割体２１０，２２０を相互に対向させて組み立ててなる。【選択図】図１
0003171194.tif 000002
【実用新案登録請求の範囲】
【請求項１】
上面開口で所定深さの有底の容器本体と、
前記容器本体の上面開口部に連接される廃棄物投入部とを備えた廃棄物収納容器であって、
前記容器本体が、同じ型を用いて成形され、相互に対向させると対称形をなす２つの容器分割体からなり、２つの容器分割体の対向する係合部及び被係合部同士を係合させて組み立てられることを特徴とする廃棄物収納容器。
【請求項２】
前記各容器分割体の分割底壁部の端縁部には、それぞれ、係合部となるピン部材と被係合部となるピン受け部材とが設けられており、相互に対向する、一方の分割底壁部のピン部材と他方の分割底壁部のピン受け部材同士、一方の分割底壁部のピン受け部材と他方の分割底壁部のピン部材同士が、相互に連結されることによりそれぞれヒンジ機構を構成していることを特徴とする請求項１記載の廃棄物収納容器。
【請求項３】
前記各容器分割体は、それぞれ、互いに対向する第１及び第２の分割側壁部を有し、
相互に対向する、各容器分割体の分割側壁部同士は、凸片と凹溝との組み合わせにより、両者が係合されて組み立てられることを特徴とする請求項１又は２記載の廃棄物収納容器。
【請求項４】
前記容器本体の上面開口部付近には、前記廃棄物投入部の係合部が係合する被係合部が形成されていると共に、該被係合部と同様の構造の補助被係合部が、該被係合部の形成位置から所定距離離間した低い位置に形成されており、補助被係合部よりも上部部分をカットすることにより、容器本体の高さを低くした状態で前記廃棄物投入部を連接可能であることを特徴とする請求項１〜３のいずれか１に記載の廃棄物収納容器。
【考案の詳細な説明】
【技術分野】
【０００１】
本考案は、廃棄物収納容器に関し、特に、ホテル、オフィスビル、百貨店、駅などの不特定多数人が利用するトイレに設置される汚物入れとして利用される廃棄物収納容器に関する。
【背景技術】
【０００２】
特許文献１には、容器本体上に廃棄物投入部が連接され、トイレに設置されて生理用品等の汚物入れとして使用可能な廃棄物収納容器が開示されている。廃棄物投入部は、廃棄物の投入口と、所定間隔離間して配置された２本のフィルム供給ローラと、相互に周面が接するように並列配置された２本のフィルム引き出しローラとを備え、投入口から投入された廃棄物を、２本のフィルム供給ローラから引き出されるプラスチックフィルム間で受け入れ、２本のフィルム引き出しローラ間を通過する際に、該廃棄物の表面とその周囲をプラスチックフィルムで密着させて封入し、プラスチックフィルムをカットすることなく、複数の廃棄物を連続的に封入して、容器本体内に次々と押し込んでいく。
【先行技術文献】
【特許文献】
【０００３】
【特許文献１】ＷＯ２００５／０３７６８４Ａ１号公報
【考案の概要】
【考案が解決しようとする課題】
【０００４】
特許文献１の廃棄物収納容器は、廃棄物投入部を取り外して行う、容器本体に溜まった廃棄物の取り出し作業などのメンテナンス期間を所定期間以上とするため、容器本体は、プラスチックフィルムに封入された廃棄物を所定量収納できるように、ある程度の容量のものが用いられている。通常、この種の容器本体としては、深さ４０ｃｍ〜６０ｃｍで、２０リットル以上の容量を有するものが用いられているが、これだけ深い容器を成形するのは容易ではなく、金型コストも相当要する。従って、より廉価のものを提供するには、出荷量が相当数必要である。しかるに、特許文献１に記載されたような廃棄物収納容器は、容器のみからなる単純な汚物入れ（ゴミ箱）とは異なり、廃棄物を個別密封する廃棄物投入部を備えているため、容器本体部分以外のコストも高く、設置される場所は、ホテル、百貨店など、比較的高級イメージの要請の高いトイレ施設が多い。このため、容器のみからなる単純な汚物入れと比較すれば、出荷量が少なく、出荷量の増加による金型コストを含む製造コストの吸収にも限界がある。
【０００５】
本考案は上記に鑑みなされたものであり、製造コストの低減を図り、さらには、メンテナンス作業も行い易い容器本体を備えた廃棄物収納容器を提供することを課題とする。
【課題を解決するための手段】
【０００６】
上記課題を解決するため、請求項１記載の考案では、上面開口で所定深さの有底の容器本体と、
前記容器本体の上面開口部に連接される廃棄物投入部とを備えた廃棄物収納容器であって、
前記容器本体が、同じ型を用いて成形され、相互に対向させると対称形をなす２つの容器分割体からなり、２つの容器分割体の対向する係合部及び被係合部同士を係合させて組み立てられることを特徴とする廃棄物収納容器を提供する。
請求項２記載の考案では、前記各容器分割体の分割底壁部の端縁部には、それぞれ、係合部となるピン部材と被係合部となるピン受け部材とが設けられており、相互に対向する、一方の分割底壁部のピン部材と他方の分割底壁部のピン受け部材同士、一方の分割底壁部のピン受け部材と他方の分割底壁部のピン部材同士が、相互に連結されることによりそれぞれヒンジ機構を構成していることを特徴とする請求項１記載の廃棄物収納容器を提供する。
請求項３記載の考案では、前記各容器分割体は、それぞれ、互いに対向する第１及び第２の分割側壁部を有し、
相互に対向する、各容器分割体の分割側壁部同士は、凸片と凹溝との組み合わせにより、両者が係合されて組み立てられることを特徴とする請求項１又は２記載の廃棄物収納容器を提供する。
請求項４記載の考案では、前記容器本体の上面開口部付近には、前記廃棄物投入部の係合部が係合する被係合部が形成されていると共に、該被係合部と同様の構造の補助被係合部が、該被係合部の形成位置から所定距離離間した低い位置に形成されており、補助被係合部よりも上部部分をカットすることにより、容器本体の高さを低くした状態で前記廃棄物投入部を連接可能であることを特徴とする請求項１〜３のいずれか１に記載の廃棄物収納容器を提供する。
【考案の効果】
【０００７】
本考案の廃棄物収納容器は、容器本体が、同じ型を用いて成形した２つの容器分割体を相互に対向させて組み立ててなる。すなわち、容器分割体は、完成状態の容器本体を垂直方向に２分割した形状であるため、完成状態の容器本体を直接成形する従来の手段のように、その垂直方向に雄型と雌型を組み合わせるのではなく、完成状態の容器本体の水平方向に、しかも、その略半分の深さのものとして成形すればよい。従って、金型コストは遥かに廉価な物で済む。また、２つの容器分割体は、全く同じ形状であり、２つの容器分割体を同じ金型で製作できるため、この点においても金型コストの余分な負担が生じない。このため、容器本体の製造コストを大幅に低減できる。
【０００８】
また、廃棄物投入部を取り外せば、容器本体を２つに分割可能であるため、プラスチックフィルムに封入されて収容されている生理用品等の廃棄物の取り出し作業、容器本体の清掃作業等のメンテナンス作業が容易である。
【０００９】
さらに、容器本体に補助被係合部を備えた構造とすることにより、該補助被係合部よりも上部部分をカットすれば、一つの金型で製作しているにも拘わらず、異なる高さの容器本体を容易に提供できる。
【図面の簡単な説明】
【００１０】
【図１】図１（ａ）は、本考案の一の実施形態に係る廃棄物収納容器を示す斜視図であり、図１（ｂ）は、容器本体から廃棄物投入部を取り外した状態の斜視図であり、図１（ｃ）は、容器本体を２つの容器分割体に分離した状態を示す斜視図であり、図１（ｄ）は、容器分割体にの分割底壁部のみを示した図である。
【図２】図２（ａ）は、容器本体の上部部分をカットして高さを低くした状態を示す斜視図であり、図２（ｂ）は、高さを低くした容器本体から廃棄物投入部を取り外した状態の斜視図である。
【考案を実施するための形態】
【００１１】
以下、図面を用いて、本考案の実施形態を説明する。図１（ａ）〜（ｄ）は、本実施形態に係る廃棄物収納容器１０を示す図である。この廃棄物収納容器１０は、容器本体２０と廃棄物投入部３０とを備えて構成されている。
【００１２】
容器本体２０は、図１（ｂ）に示したように、上面開口で所定深さの有底の箱状に形成されている。通常、深さ約４０〜６０ｃｍ程度で、２０リットル以上の容量を有する大きさで形成されている。この容器本体２０は、図１（ｃ）に示したように、２つの容器分割体２１０，２２０から形成されている。２つの容器分割体２１０，２２０は、容器本体２０を垂直方向に側壁部間を結ぶ中心線に沿って二分割した形状をなしており、いずれも同じ金型を用いて成形される。このため、両者を相互に対向させると対称形をなし、対向位置に設けられた係合部及び被係合部同士を係合させて組み立てられる。
【００１３】
具体的には、各容器分割体２１０，２２０は、分割底壁部２１１，２２１及び後述の分割側壁部２１２，２１３，２２２，２２３を有している。分割底壁部２１１，２２１の端縁部には、いずれも、係合部となるピン部材２１１ａ，２２１ａと、被係合部となるピン受け部材２１１ｂ，２２１ｂとが形成されている。容器分割体２１０及び２２０を対面させると、両者は全く同じ形状であるため、一方の分割底壁部２１１のピン部材２１１ａに他方の分割底壁部２２１のピン受け部材２２１ｂが対向し、一方の分割底壁部２１１のピン受け部材２１１ｂに他方の分割底壁部２２１のピン部材２２１ａが対向する。そして、対向するもの同士を相互に連結するが、いずれも、ピン部材２１１ａ，２２１ａが、ピン受け部材２１１ｂ，２２１ｂに対して回動する一対のヒンジ機構を構成している。
【００１４】
各容器分割体２１０，２２０は、それぞれ、互いに対向する第１及び第２の分割側壁部２１２，２１３，２２２，２２３を有している。各第１の分割側壁部２１２，２２２の端縁部には、係合部となる凸片２１２ａ，２２２ａが形成され、各第２の分割側壁部２１３，２２３の端縁部には被係合部となる凹溝２１３ａ，２２３ａとが形成されている。従って、両者を対向配置した際には、一方の容器分割体２１０の第１の分割側壁部２１２の凸片２１２ａと他方の容器分割体２２０の第２の分割側壁部２２３の凹溝２２３ａとが対向し、一方の容器分割体２１０の第２の分割側壁部２１３の凹溝２１３ａと他方の容器分割体２２０の第１の分割側壁部２２２の凸片２２２ａとが対向する。従って、両者を接近させると、対向する凸片２１２ａ，２２２ａと凹溝２１３ａ，２２３ａ同士が係合する。これにより、容器本体２０が形成される。
【００１５】
また、容器本体２０の上面開口部２０ａ付近には、廃棄物投入部３０の蓋部３１の周壁３１ａの内面に形成した係合部（図示せず）が係合する被係合部となる切り欠き溝２５が形成されている。切り欠き溝２５は、各容器分割体２１０，２２０の正面壁２１４，２２４の上縁付近、第１及び第２の分割側壁部２１２，２２３同士又は２１３，２２２同士が係合している部分の上縁付近の計４カ所に設けられている。廃棄物投入部３０は、蓋部３１の下方に、図示しないフィルム供給ローラ、フィルム引き出しローラ、モータなどが配設される機構室３２が設けられており、この機構室３２を、上面開口部２０ａから容器本体２０内に挿入して蓋部３１の係合部を上記した切り欠き溝２５に係合させて配設される。設置スペースの大きさにより、他に支障のない場合には、このまま使用されるが、設置高さが高すぎる場合を考慮して、本実施形態２０では、容器本体２０の高さ調整が可能になっている。すなわち、各切り欠き溝２５に対して所定の距離下方に離間した位置に、補助被係合部としての補助切り欠き溝２６を形成しており、この補助切り欠き溝２６よりも上部部分をカットラインＡからカットすることによって、図２（ａ），（ｂ）に示したように、容器本体２０の高さを低くすることができる。
【００１６】
切り欠き溝２５が形成されている部位と補助切り欠き溝２６が形成されている部位の大きさ（周囲長、第１及び第２の分割側壁部２１２，２２３又は２１３，２２２を合わせた幅、正面壁２１４，２２４の幅）は同じになるように成形されている。これにより、カット前の上面開口部２０ａの大きさと、補助切り欠き溝２６の上部部位をカットしたときに形成される上面開口部２０’ａの大きさとが同じになり、いずれの場合でも、廃棄物投入部３０を取り付けることができる。
【００１７】
廃棄物投入部３０は、蓋部３１と機構室３２とを備えている。蓋部３１の略中央部には、生理用品等の廃棄物を投入するための投入口３１ｂが形成されており、上記したように、機構室３２を容器本体２０の上面開口部２０ａから容器本体２０内に挿入するように、周壁３１ａの係合部を切り欠き溝２５（あるいは、補助切り欠き溝２６）に係合させて配設される。
【００１８】
機構室３２内には、上記したように、図示しないフィルム供給ローラ、フィルム引き出しローラ、モータなどが配設されており、投入口３１ｂから廃棄物が投入されるとセンサにより感知され、対向して配置された各フィルム供給ローラからプラスチックフィルムが引き出され、投入された廃棄物は、該プラスチックフィルム間に位置し、さらに、フィルム供給ローラ間を通過することで、廃棄物の両面からプラスチックフィルムが密着する。廃棄物はこのようにして次々と一つずつ密封されていくが、プラスチックフィルムは廃棄物を密封する毎に切断されるわけではなく、容器本体２０内にそのまま連続して収納されていく。そして、所定期間経過したならば、廃棄物投入部３０を容器本体２０から取り外し、密封された廃棄物を取り出す。なお、この際、容器分割体２１０，２２０は、分割底壁部２１１，２２１のピン部材２１１ａ，２２１ａとピン受け部材２１１ｂ，２２１ｂとからなるヒンジ機構を中心として、必要に応じて離間させることができ、それにより、廃棄物の取り出し作業のほか、容器本体２０の清掃作業等のメンテナンス作業が容易になる。
【００１９】
本実施形態によれば、全く同じ型を用いて成形した２つの容器分割体２１０，２２０により、容器本体２０を形成している。このため、金型コスト、容器本体２０の製造コストを低減できる。なお、上記した説明では、２つの容器分割体２１０，２２０は、容器本体２０を垂直方向に側壁部間を結ぶ中心線に沿って二分割しているが、いずれも同じ金型を用いて成形できる限り、分割ラインはこれに限定されず、例えば、平面からみた際に対角線方向に沿って分割することもできる。また、上記実施形態では、補助切り欠き部２６を一つ形成しただけであるが、異なる高さで複数形成し、容器本体２０の高さ調整をそのうちの任意の箇所からカットして行うようにしてもよい。
【符号の説明】
【００２０】
１０  廃棄物収納容器
２０  容器本体
２１０，２２０  容器分割体
２１１，２２１  分割底壁部
２１１ａ，２２１ａ  ピン部材
２１１ｂ，２２１ｂ  ピン受け部材
２１２，２１３，２２２，２２３  分割側壁部
２１２ａ，２２２ａ  凸片
２１３ａ，２２３ａ  凹溝
３０  廃棄物投入部
【図１】
0003171194.tif 000003
【図２】
0003171194.tif 000004